Podtech/llm-jp-corpus-v4-ja_patent huggingface dataset:
【手続補正書】
【提出日】平成22年6月29日(2010.6.29)
【手続補正１】
【補正対象書類名】特許請求の範囲
【補正対象項目名】全文
【補正方法】変更
【補正の内容】
【特許請求の範囲】
【請求項１】
ｇａｇポリペプチド、ヘマグルチニンポリペプチド、およびノイラミニダーゼポリペプチドを包含するキメラインフルエンザウイルス様粒子。
【請求項２】
上記ｇａｇポリペプチドが、マウス白血病ウイルス、ヒト免疫不全ウイルス、アルファレトロウイルス、ベータレトロウイルス、ガンマレトロウイルス、デルタレトロウイルスおよびレンチウイルスからなる群から選択されるレトロウイルスから得られる請求項１に記載のキメラインフルエンザウイルス様粒子。
【請求項３】
上記ヘマグルチニンポリペプチドが、インフルエンザ抗原に対して共有結合的に連結されている請求項１に記載のキメラインフルエンザウイルス様粒子。
【請求項４】
上記インフルエンザ抗原が、インフルエンザウイルスＭ２エピトープである請求項３に記載のキメラインフルエンザウイルス様粒子。
【請求項５】
上記ヘマグルチニンおよびノイラミニダーゼが、インフルエンザウイルスから得られる請求項１に記載のキメラインフルエンザウイルス様粒子。
【請求項６】
上記ウイルス様粒子との混合物において免疫賦活剤をさらに包含する請求項１に記載のキメラインフルエンザウイルス様粒子。
【請求項７】
上記免疫賦活剤が、上記ウイルス様粒子の内部または外部にある請求項６に記載のキメラインフルエンザウイルス様粒子。
【請求項８】
上記免疫賦活剤が、上記ウイルス様粒子の内部にあり、上記免疫賦活剤が、上記ｇａｇポリペプチドに対して共有結合的に連結されて、共有結合を形成している請求項７に記載のキメラインフルエンザウイルス様粒子。
【請求項９】
上記免疫賦活剤が、上記ウイルス様粒子の外側にあり、上記ヘマグルチニンポリペプチドに対して共有結合的に連結されて、共有結合を形成している、請求項７に記載のキメラインフルエンザウイルス様粒子。
【請求項１０】
上記免疫賦活剤が、上記ウイルス様粒子の外側にあり、上記ノイラミニダーゼポリペプチドに対して共有結合的に連結されて、共有結合を形成している請求項７に記載のキメラインフルエンザウイルス様粒子。
【請求項１１】
ｇａｇポリペプチドをコードする第１のヌクレオチド配列、ノイラミニダーゼポリペプチドをコードする第２のヌクレオチド配列、およびヘマグルチニンポリペプチドをコードする第３のヌクレオチド配列を包含し、ここで、細胞宿主における発現によって、上記ポリペプチドが、キメラウイルス様粒子を形成するキメラインフルエンザウイルス様粒子発現ベクター系。
【請求項１２】
第１、第２、および第３のヌクレオチド配列が、単一の発現ベクター内にある請求項１１に記載のキメラインフルエンザウイルス様粒子発現系。
【請求項１３】
第１、第２、および第３のヌクレオチド配列が、単一のプロモータに対して作動可能に連結されている請求項１１に記載のキメラインフルエンザウイルス様粒子発現系。
【請求項１４】
第１、第２、および第３のヌクレオチド配列が、複数の発現ベクター内にある請求項１１に記載のキメラインフルエンザウイルス様粒子発現系。
【請求項１５】
キメラインフルエンザウイルス様粒子の製造方法であって
（ａ）ｇａｇポリペプチド、ヘマグルチニンポリペプチド、およびノイラミニダーゼポリペプチドをともに発現する１つ以上の発現ベクターを準備すること；
（ｂ）培地における細胞内に上記１つ以上の発現ベクターを導入すること；ならびに
（ｃ）上記ｇａｇポリペプチド、ヘマグルチニンポリペプチド、およびノイラミニダーゼポリペプチドを発現して上記キメラインフルエンザウイルス様粒子を製造すること
を包含しており、必要に応じて
（ｄ）上記細胞が培養されている培地から上記キメラインフルエンザウイルス様粒子を回収することをさらに包含している、方法。
【請求項１６】
上記発現ベクターが、バキュロウイルス、アデノウイルス、ヘルペスウイルス、ポックスウイルスおよびレトロウイルスからなる群から選択されるウイルスベクターである請求項１５に記載の方法。
【請求項１７】
上記細胞が、昆虫細胞および哺乳類細胞からなる群から選択される請求項１５または１６に記載の方法。
【請求項１８】
上記発現ベクターがバキュロウイルスであり、かつ上記細胞が昆虫細胞である請求項１５〜１７のいずれか１項に記載の方法。
【請求項１９】
請求項１〜１０のいずれか１項に記載のキメラインフルエンザウイルス様粒子の免疫原性のある量を包含する、
薬学的組成物。
【請求項２０】
ｇａｇポリペプチド、ヘマグルチニンポリペプチド、およびノイラミニダーゼポリペプチドを含んでいる、インフルエンザの処置または予防のための医薬品を製造するための、キメラインフルエンザウイルス様粒子の、使用。
【請求項２１】
上記医薬品の投与によって、上記対象における防御免疫応答が誘導される請求項２０に記載の方法。
【請求項２２】
処置されるかまたは予防される上記インフルエンザが、ヘマグルチニンポリペプチドの連続変異バリアントを有するインフルエンザウイルスによって引き起こされるインフルエンザ、およびノイラミニダーゼポリペプチドの連続変異バリアントを有するインフルエンザウイルスによって引き起こされるインフルエンザを含む請求項２０に記載の方法。
【請求項２３】
上記防御免疫応答は、異種亜型防御または連続変異バリアント防御を含む請求項２１に記載の方法。
【請求項２４】
上記異種亜型防御が、Ｈ３  インフルエンザウイルスに対する防御を含み、かつ上記ヘマグルチニンポリペプチドが、Ｈ１である請求項２３に記載の方法。
【請求項２５】
上記異種亜型防御が、Ｎ２  インフルエンザウイルスに対する防御を含み、かつ上記ノイラミニダーゼポリペプチドが、Ｎ１である請求項２３に記載の方法。
【請求項２６】
上記異種亜型防御が、Ｈ３Ｎ２  インフルエンザウイルスに対する防御を含み、かつ上記ヘマグルチニンポリペプチドが、Ｈ１であり、かつ上記ノイラミニダーゼポリペプチドが、Ｎ１である請求項２３に記載の方法。
【請求項２７】
請求項１〜１０のいずれか１項に記載のキメラインフルエンザウイルス様粒子の、インフルエンザの処置または予防のための、使用。
【手続補正書】
【提出日】平成22年6月29日(2010.6.29)
【手続補正１】
【補正対象書類名】特許請求の範囲
【補正対象項目名】全文
【補正方法】変更
【補正の内容】
【特許請求の範囲】
【請求項１】
（ａ）ｇａｇポリペプチドと、
（ｂ）非ウイルス性脂質ラフト会合ポリペプチドとを含んでいる、キメラウイルス様粒子。
【請求項２】
上記脂質ラフト会合ポリペプチドが、ＧＰＩアンカーのポリペプチド、ミリストイル化配列のポリペプチド、パルミトイル化配列のポリペプチド、ダブルアセチル化配列のポリペプチド、カベオリンのポリペプチド、フロチリンのポリペプチド、シンタキシン−１のポリペプチド、シンタキシン−４のポリペプチド、シナプシンＩのポリペプチド、アデューシンのポリペプチド、ＶＡＭＰ２のポリペプチド、ＶＡＭＰ／シナプトブレビンのポリペプチド、シナプトブレビンＩＩのポリペプチド、ＳＮＡＲＥのポリペプチド、ＳＮＡＰ−２５のポリペプチド、ＳＮＡＰ−２３のポリペプチド、シナプトタグミンＩのポリペプチド、およびシナプトタグミンＩＩのポリペプチドから成る群から選択される、請求項１に記載のウイルス様粒子。
【請求項３】
ヘマグルチニンまたはノイラミニダーゼのポリペプチドをさらに含んでいる、請求項１に記載のウイルス様粒子。
【請求項４】
（ａ）ｇａｇポリペプチドと、
（ｂ）抗原に連結されて結合を形成している脂質ラフト会合ポリペプチドとを含んでおり、
上記抗原が、脂質ラフトと天然に会合しないものである、キメラウイルス様粒子。
【請求項５】
上記結合が、共有結合、イオン相互作用、水素結合、イオン結合、ファンデルワールス力、金属−配位子相互作用、および抗体−抗原相互作用から成る群から選択される、請求項４に記載のウイルス様粒子。
【請求項６】
上記結合が、ペプチド結合、炭素−酸素結合、炭素−硫黄結合、炭素−窒素結合、炭素−炭素結合、およびジスルフィド結合から成る群から選択される共有結合である、請求項５に記載のウイルス様粒子。
【請求項７】
上記脂質ラフト会合ポリペプチドが内在性膜タンパク質である、請求項４に記載のウイルス様粒子。
【請求項８】
上記脂質ラフト会合ポリペプチドが、ヘマグルチニンのポリペプチド、ノイラミニダーゼのポリペプチド、融合タンパク質のポリペプチド、糖タンパク質のポリペプチド、およびエンベロープタンパクのポリペプチドから選択される、請求項４に記載のウイルス様粒子。
【請求項９】
上記ウイルス様粒子が昆虫細胞または哺乳類細胞のグリコシル化を含んでいる、請求項４〜８のいずれか１項に記載のウイルス様粒子。
【請求項１０】
第２脂質ラフト会合ポリペプチドをさらに含んでいる、請求項４〜９のいずれか１項に記載のウイルス様粒子。
【請求項１１】
上記ウイルス様粒子と混合されたアジュバントをさらに含んでいる、請求項４〜１０のいずれか１項に記載のウイルス様粒子。
【請求項１２】
上記アジュバントが、上記ウイルス様粒子の内側または外側に配置されている、請求項１１に記載のウイルス様粒子。
【請求項１３】
上記アジュバントが、上記ウイルス様粒子の内側または外側に配置されており、上記ｇａｇポリペプチドに共有的に連結されて共有結合を形成している、請求項１２に記載のウイルス様粒子。
【請求項１４】
上記アジュバントが、上記ウイルス様粒子の外側に配置されており、上記脂質ラフト会合ポリペプチドに共有的に連結されて共有結合を形成している、請求項１２に記載のウイルス様粒子。
【請求項１５】
（ａ）ｇａｇポリペプチドとおよび、
（ｂ）ＲＳＶの脂質ラフト会合ポリペプチドとを含んでいるキメラウイルス様粒子。
【請求項１６】
第２脂質ラフト会合ポリペプチドをさらに含んでいる、請求項１５に記載のウイルス様粒子。
【請求項１７】
ＲＳＶ脂質ラフト会合ポリペプチドに連結されて結合を形成している抗原をさらに含んでいる、請求項１５に記載のウイルス様粒子。
【請求項１８】
（ａ）ｇａｇポリペプチドと、
（ｂ）エンベロープウイルスの脂質ラフト会合ポリペプチドとを含んでおり、
昆虫細胞のグリコシル化を含んでいる、キメラウイルス様粒子。
【請求項１９】
第２脂質ラフト会合ポリペプチドをさらに含んでいる、請求項１８に記載のウイルス様粒子。
【請求項２０】
上記ウイルス様粒子と混合されたアジュバントをさらに含んでいる、請求項１８に記載のウイルス様粒子。
【請求項２１】
（ａ）ｇａｇポリペプチドをコードする第１ヌクレオチド配列と、
（ｂ）抗原に連結される脂質ラフト会合ポリペプチドをコードする第２ヌクレオチド配列とを含んでおり、
上記抗原は脂質ラフトと天然には会合しないものであり、
上記ポリペプチドは、宿主細胞内で発現すると、ウイルス様粒子を形成するものである、キメラウイルス様粒子の発現ベクターシステム。
【請求項２２】
上記第１ヌクレオチド配列および第２ヌクレオチド配列が、１つの発現ベクター内に存在している、請求項２１に記載のウイルス様粒子の発現ベクターシステム。
【請求項２３】
上記第１ヌクレオチド配列および第２ヌクレオチド配列が、１つのプロモーターに作動可能に連結されている、請求項２１に記載のウイルス様粒子の発現ベクターシステム。
【請求項２４】
上記第１ヌクレオチド配列および第２ヌクレオチド配列が、複数の発現ベクター内に存在している、請求項２１に記載のウイルス様粒子の発現ベクターシステム。
【請求項２５】
（ａ）ｇａｇポリペプチドと抗原に連結される脂質ラフト会合ポリペプチドとを一緒に発現する、１つ以上の発現ベクターを提供する工程、
（ｂ）上記１つ以上の発現ベクターを細胞に導入する工程、および、
（ｃ）上記ｇａｇポリペプチドと上記抗原に連結される脂質ラフト会合ポリペプチドとを発現させて、キメラウイルス様粒子を製造する工程を含んでおり、必要に応じて、
（ｄ）上記細胞が培養されている培地から上記ウイルス様粒子を回収する工程を含んでおり、
上記抗原は、脂質ラフトと天然には会合しないものである、キメラウイルス様粒子を製造する方法。
【請求項２６】
上記１つ以上の発現ベクターが、バキュロウイルス、アデノウイルス、ヘルペスウイルス、ポックスウイルス、およびレトロウイルスから成る群から選択されるウイルスベクターである、請求項２５に記載の方法。
【請求項２７】
上記細胞が昆虫細胞および哺乳類細胞から成る群から選択される、請求項２５に記載の方法。
【請求項２８】
上記１つ以上の発現ベクターがバキュロウイルスであり、上記細胞が昆虫細胞である、請求項２５に記載の方法。
【請求項２９】
免疫系の症状あるいは病気を治療または予防する製剤を製造するためのキメラウイルス様粒子の使用であって、
上記粒子は、ｇａｇポリペプチドと、抗原に連結された脂質ラフト会合ポリペプチドとを含んでおり、
上記抗原は、脂質ラフトと天然には会合しないものである、使用。
【請求項３０】
上記投与は、感染防御免疫応答を被検体に誘導するものである、請求項２９に記載の方法。
【請求項３１】
免疫原性量の、請求項１〜２０のいずれか１項に記載のキメラウイルス様粒子を含んでいる薬学的組成物であって、上記キメラウイルス様粒子は、ｇａｇポリペプチド、および抗原に連結される脂質ラフト会合ポリペプチドを含んでおり、上記抗原は脂質ラフトと天然には会合しないものである、薬学的組成物。
【請求項３２】
免疫系の疾患または症状の処置または予防のための、請求項１〜２０のいずれか１項に記載のキメラウイルス様粒子の、使用。
【手続補正書】
【提出日】平成22年7月16日(2010.7.16)
【手続補正１】
【補正対象書類名】明細書
【補正対象項目名】発明の名称
【補正方法】変更
【補正の内容】
【発明の名称】圧力作動デバイス
【手続補正２】
【補正対象書類名】特許請求の範囲
【補正対象項目名】全文
【補正方法】変更
【補正の内容】
【特許請求の範囲】
【請求項１】
加圧された気体源に接続するための入力孔と、
出力孔と、
チャンバと、
圧力監視孔と、
周囲圧力が、前記チャンバ内の圧力よりも所定量を超えて高い場合に、前記入力孔と前記出力孔との間の前記チャンバの外側の流体経路を選択的に開くための流れ制御手段と、
前記圧力監視孔の圧力が、前記周囲圧力よりも所定量を超えて高い場合に、前記圧力監視孔と前記チャンバとの間の流体経路を選択的に開くためのリセット手段と、
を備えることを特徴とする気体の供給を制御するための圧力作動デバイス。
【請求項２】
前記出力孔は、前記圧力監視孔をも形成することを特徴とする請求項１記載のデバイス。
【請求項３】
前記流れ制御手段は、前記入力孔と前記出力孔の間の前記流体経路を選択的に開くための制御弁と、前記制御弁に結合され前記周囲圧力が前記チャンバ内の圧力よりも所定量を超えて高い場合に前記制御弁を開く圧力感知手段と、を備えることを特徴とする請求項１または請求項２記載のデバイス。
【請求項４】
前記圧力感知手段は、一方側が周囲圧力にさらされ、その他方側が前記チャンバにさらされた軟質のダイヤフラムを含むことを特徴とする請求項３記載のデバイス。
【請求項５】
前記圧力感知手段は、前記ダイヤフラムが接触することが可能なレバーによって、前記弁に結合されていることを特徴とする請求項４記載のデバイス。
【請求項６】
前記圧力感知手段は、一方側が周囲圧力にさらされ、その他方側が前記チャンバにさらされたピストンを含む、ことを特徴とする請求項３記載のデバイス。
【請求項７】
前記リセット手段は、周囲圧力と前記圧力監視孔の圧力の差に反応するリセット圧力感知手段と、リセット弁手段と、を備え、
前記リセット圧力感知手段は、前記圧力監視孔の圧力が周囲圧力よりも所定量を超えて高い場合に、前記圧力監視孔と前記チャンバの間の前記流体経路を前記リセット弁手段が開くように、前記リセット弁手段に結合されていること
を特徴とする請求項１ないし６のいずれか１項に記載のデバイス。
【請求項８】
周囲圧力と前記チャンバ内の圧力の差に反応する追加のリセット圧力感知手段と、追加のリセット弁手段と、を備えた追加のリセット手段を含み、
前記追加のリセット圧力感知手段は、前記チャンバ内の圧力が周囲圧力よりも所定量を超えて高い場合に、前記追加のリセット弁手段が開いて前記チャンバから気体を抜くように、前記追加のリセット弁手段に結合されていることを特徴とする請求項１ないし７のいずれか１項に記載のデバイス。
【請求項９】
吸入されるべき気体を収容するための閉鎖容器を備え、
前記閉鎖容器が、
前記閉鎖容器内のガスから二酸化炭素を除去するための手段と、
マウスピース孔と、
酸素ガスを前記閉鎖容器に供給するための酸素孔と、
前記圧力作動デバイスの前記出力孔に接続された希釈孔と、
を備えたこと
を特徴とする、希釈ガスの供給を制御するための請求項１ないし８のいずれか１項に記載の圧力作動デバイス。
【手続補正書】
【提出日】平成22年7月26日(2010.7.26)
【手続補正１】
【補正対象書類名】特許請求の範囲
【補正対象項目名】全文
【補正方法】変更
【補正の内容】
【特許請求の範囲】
【請求項１】
N末端部分およびC末端部分を含むポリペプチドであって、前記N末端部分が署名配列QGP[PまたはL]を含み、前記C末端部分が配列番号１に対して少なくとも70％同一である、前記ポリペプチド。
【請求項２】
署名配列がQGP[PまたはL][LまたはGまたはSまたはM][MまたはDまたはSまたはQまたはG]である、請求項１記載のポリペプチド。
【請求項３】
署名配列がQGP[PまたはL][LまたはG][MまたはDまたはS]である、請求項１記載のポリペプチド。
【請求項４】
署名配列がQGP[PまたはL][LまたはGまたはSまたはM][MまたはDまたはSまたはQまたはG]XX[QまたはGまたはLまたはAまたはTまたはS]Xであり、Xが天然のまたは改変されたアミノ酸を表す、請求項１記載のポリペプチド。
【請求項５】
署名配列がQGP[PまたはL][LまたはG][MまたはDまたはS]XX[QまたはGまたはL]Xであり、Xが天然のまたは改変されたアミノ酸を表す、請求項１記載のポリペプチド。
【請求項６】
請求項１〜５のいずれか1項記載のポリペプチドをコードする１以上のセグメント/配列を含む核酸分子。
【請求項７】
請求項６記載の核酸を含む宿主細胞。
【請求項８】
請求項１〜５のいずれか１項記載のポリペプチド若しくは医薬として許容されるその塩、または請求項６記載の核酸若しくは医薬として許容されるその塩、または、請求項７記載の宿主細胞、を含む、医薬組成物。
【請求項９】
HIV感染、後天性免疫不全症候群（AIDS）、または、HIV伝染の治療または予防用医薬の製造のための、請求項１〜５のいずれか１項記載のポリペプチド、または請求項６記載の核酸、または請求項７記載の宿主細胞の使用。
【請求項１０】
炎症、炎症性疾患、自己免疫疾患、細菌感染症およびウイルス感染症、炎症性腸疾患、関節リウマチ、アテロームもしくは動脈硬化症、喘息、アレルギー性鼻炎もしくはアトピー性皮膚炎、移植器官、移植組織もしくは移植細胞の拒絶、多発性硬化症および/またはその他の脱髄性疾患、末梢性神経障害、悪性疾患、または癌もしくは転移性癌を治療または予防用医薬の製造のための、請求項１〜５のいずれか１項記載のポリペプチド、または請求項６記載の核酸、または請求項７記載の宿主細胞の使用。
【手続補正書】
【提出日】平成22年1月19日(2010.1.19)
【手続補正１】
【補正対象書類名】明細書
【補正対象項目名】００７６
【補正方法】変更
【補正の内容】
【００７６】
（ｃ）ポリマー分散物の製造：
（ｂ）からのワックスで被覆された顔料分散物ＰＹ １５５：   ４５０
Ｄｉｓｐｅｒｓｏｇｅｎ ＬＦＨ ２８％濃度                  １２．５
モノマーＢ１                                              ２０
モノマーＢ２                                              １０
パーオキソ二硫酸アンモニウム                              ０．９５
アスコルビン酸                                            ０．７
水                                                        ４００
Ｈ2Ｏ2  ３５％濃度                                       ３．５
防腐剤                                                    ０．３
【手続補正２】
【補正対象書類名】明細書
【補正対象項目名】００８３
【補正方法】変更
【補正の内容】
【００８３】
（ｃ）ポリマー分散物の製造
ワックスで被覆した顔料分散物ＰＲ１２２：            ４５０
Ｄｉｓｐｅｒｓｏｇｅｎ ＬＦＨ ２８％濃度            １２．５
モノマーＢ１                                        ４０
モノマーＢ２                                        ２０
パーオキソ二硫酸アンモニウム                        ０．８３
アスコルビン酸                                      ０．７
水                                                  ４００
Ｈ2Ｏ2  ３５％濃度                                 ３．５
防腐剤                                              ０．３
【手続補正３】
【補正対象書類名】明細書
【補正対象項目名】００８８
【補正方法】変更
【補正の内容】
【００８８】
被膜：１０％；  顔料１５％；  乳化剤，タイプ（１）：２．３％
（ｃ）ポリマー分散物の製造：
ワックスで被覆した顔料分散物ＰＢ１５：３        ４５０
Ｄｉｐｅｒｓｏｇｅｎ ＬＦＥＳ ２８％濃度        ２５
モノマーＢ１                                    ４０
モノマーＢ２                                    ７０
パーオキソ二硫酸アンモニウム                    ０．８３
アスコルビン酸                                  ０．７
水                                              ４１３
Ｈ2Ｏ2  ３５％濃度                              ３．５
防腐剤                                          ０．３
【手続補正４】
【補正対象書類名】明細書
【補正対象項目名】００９４
【補正方法】変更
【補正の内容】
【００９４】
被膜：１０％；顔料：１５％；乳化剤，タイプ（１）：２．３％
（ｃ）ポリマー分散物の製造
ワックスで被覆された顔料分散物ＰＢ７：        ４５０
Ｄｉｓｐｅｒｓｏｇｅｎ  ＬＦＨ  ２８％濃度    ６．４
モノマーＢ１                                  １５．４
モノマーＢ２                                    −
パーオキソ二硫酸アンモニウム                  ０．６０
アスコルビン酸                                ０．７
水                                            ４１３
Ｈ2Ｏ2  ３５％濃度                            ３．５
防腐剤                                        ０．３
【手続補正書】
【提出日】平成22年6月25日(2010.6.25)
【手続補正１】
【補正対象書類名】明細書
【補正対象項目名】００８３
【補正方法】変更
【補正の内容】
【００８３】
本発明のポリアミド樹脂組成物は、比較例１、２、３と比べて優れた剛性も有する。
なお、本発明は、特許請求の範囲を含め、以下の発明を包含する。
１．（ｉ）２０〜９５重量％の脂肪族ポリアミド、
（ｉｉ）１〜４０重量％のポリアミドＰＡ６Ｔ６Ｉ、および
（ｉｉｉ）０．５〜２０重量％の可塑剤
を含み、
重量百分率は全調合物の重量により、前記脂肪族ポリアミドはポリアミドＰＡ６Ｔ６Ｉと混和性であり、前記可塑剤はカプロラクタム、オリゴアミド、スルホンアミド、およびベンゾエートからなる群から選択されることを特徴とする組成物。
２．各側面に金属被膜層を接着させているポリマー材料のコアを含む金属−ポリマー−金属構造積層体であって、
（ａ）前記金属被膜層は厚さが約０．１ｍｍ〜約１０ｍｍであり、
（ｂ）前記積層体はコア厚さと被膜厚さの比が約１：３〜約２０：１であり、
（ｃ）前記積層体の全厚は約０．３ｍｍ〜約１０ｍｍであり、
（ｄ）前記ポリマー材料は、
（ｉ）２０〜９５重量％の脂肪族ポリアミド、
（ｉｉ）１〜４０重量％のポリアミドＰＡ６Ｔ６Ｉ、および
（ｉｉｉ）０．５〜２０重量％の可塑剤
を含み、
重量百分率は全調合物の重量により、前記脂肪族ポリアミドはポリアミドＰＡ６Ｔ６Ｉと混和性であり、前記可塑剤はカプロラクタム、オリゴアミド、スルホンアミド、およびベンゾエートからなる群から選択されることを特徴とする構造積層体。
３．前記コアの各側面の金属被膜層は異なる厚さであることを特徴とする２に記載の構造積層体。
４．前記コアの各側面の金属被膜層が異なる金属を含むことを特徴とする２に記載の構造積層体。
５．コア厚さと被膜厚さの比が１：２〜３：１であることを特徴とする２に記載の積層体。
６．積層体全厚は０．６ｍｍ〜１．５ｍｍであることを特徴とする２に記載の積層体。
７．前記コアが固体充填剤を含むことを特徴とする２に記載の積層体。
８．前記金属被膜が鋼であることを特徴とする２に記載の構造積層体。
９．前記金属被膜がアルミニウムであることを特徴とする２に記載の構造積層体。
１０．［音］減衰成形体を製造する方法であって、
（ａ）（１）脂肪族ポリアミド、（２）非晶質ポリアミド、および（３）可塑剤を混合するステップと、
（ｂ）ステップ（ａ）で得られた組成物を使用して成形体を成形するステップと、
を含むことを特徴とする方法。
１１．減衰成形体を製造する方法であって、
（Ａ）（２）非晶質ポリアミドを（１）脂肪族ポリアミドに添加して、脂肪族ポリアミドのｔａｎδピーク温度より高いｔａｎδピーク温度を有する混合物を得るステップと、
（Ｂ）（３）可塑剤をステップ（Ａ）で得られた混合物に添加して、ステップＡ）で得られた混合物のｔａｎδピーク温度より低いｔａｎδピーク温度を有する混合物を得るステップと、
（Ｃ）ステップ（Ｂ）で得られた混合物を使用して、高い動的粘弾性（ｔａｎδ）を有する成形体を形成するステップと、
を含むことを特徴とする方法。
【手続補正２】
【補正対象書類名】特許請求の範囲
【補正対象項目名】全文
【補正方法】変更
【補正の内容】
【特許請求の範囲】
【請求項１】
（ｉ）２０〜９５重量％の脂肪族ポリアミド、
（ｉｉ）１〜４０重量％のポリアミドＰＡ６Ｔ６Ｉ、および
（ｉｉｉ）０．５〜２０重量％の可塑剤
を含み、
重量百分率は全調合物の重量により、前記脂肪族ポリアミドはポリアミドＰＡ６Ｔ６Ｉと混和性であり、前記可塑剤はカプロラクタム、オリゴアミド、スルホンアミド、およびベンゾエートからなる群から選択されることを特徴とする組成物。
【請求項２】
各側面に金属被膜層を接着させているポリマー材料のコアを含む金属−ポリマー−金属構造積層体であって、
（ａ）前記金属被膜層は厚さが約０．１ｍｍ〜約１０ｍｍであり、
（ｂ）前記積層体はコア厚さと被膜厚さの比が約１：３〜約２０：１であり、
（ｃ）前記積層体の全厚は約０．３ｍｍ〜約１０ｍｍであり、
（ｄ）前記ポリマー材料は、
（ｉ）２０〜９５重量％の脂肪族ポリアミド、
（ｉｉ）１〜４０重量％のポリアミドＰＡ６Ｔ６Ｉ、および
（ｉｉｉ）０．５〜２０重量％の可塑剤
を含み、
重量百分率は全調合物の重量により、前記脂肪族ポリアミドはポリアミドＰＡ６Ｔ６Ｉと混和性であり、前記可塑剤はカプロラクタム、オリゴアミド、スルホンアミド、およびベンゾエートからなる群から選択されることを特徴とする構造積層体。
【請求項３】
［音］減衰成形体を製造する方法であって、
（ａ）（１）脂肪族ポリアミド、（２）非晶質ポリアミド、および（３）可塑剤を混合するステップと、
（ｂ）ステップ（ａ）で得られた組成物を使用して成形体を成形するステップと、
を含むことを特徴とする方法。
【請求項４】
減衰成形体を製造する方法であって、
（Ａ）（２）非晶質ポリアミドを（１）脂肪族ポリアミドに添加して、脂肪族ポリアミドのｔａｎδピーク温度より高いｔａｎδピーク温度を有する混合物を得るステップと、
（Ｂ）（３）可塑剤をステップ（Ａ）で得られた混合物に添加して、ステップＡ）で得られた混合物のｔａｎδピーク温度より低いｔａｎδピーク温度を有する混合物を得るステップと、
（Ｃ）ステップ（Ｂ）で得られた混合物を使用して、高い動的粘弾性（ｔａｎδ）を有する成形体を形成するステップと、
を含むことを特徴とする方法。
【手続補正書】
【提出日】平成22年1月29日(2010.1.29)
【手続補正１】
【補正対象書類名】特許請求の範囲
【補正対象項目名】全文
【補正方法】変更
【補正の内容】
【特許請求の範囲】
【請求項１】
細胞又はニューロンの成長を刺激するために、ＰＫＣ活性化因子をタンパク質キナーゼＣ（ＰＫＣ）と接触させる工程を含む方法であって、前記成長が、樹状突起棘の形成、樹状突起棘密度、及び近位の樹状突起へのELAVトランスロケーションからなる群より選択される方法。
【請求項２】
前記ＰＫＣ活性化因子が大環状ラクトン、ベンゾラクタム、及びピロリジノンからなる群より選択される、請求項１に記載の方法。
【請求項３】
前記大環状ラクトンがブリオスタチン-1, -2, -3, -4, -5, -6, -7, -8, -9, -10, -11, -12, -13, -14, -15, -16, -17,又は-18又はネリスタチン-1である、請求項９に記載の方法。
【請求項４】
前記ＰＫＣがＰＫＣαである、請求項１に記載の方法。
【請求項５】
前記接触がカレキシチンの量を増大することを特徴とする、請求項１に記載の方法。
【請求項６】
前記接触が、実質的なその後のＰＫＣ下方制御をもたらさない、請求項１に記載の方法。
【請求項７】
前記ＰＫＣ活性化因子と前記ＰＫＣとの接触が、１週間から１ヶ月の間、１日間から１週間の間、又は１時間未満から24時間の間の定期的な間隔で繰り返される、請求項１に記載の方法。
【請求項８】
前記ＰＫＣ活性化因子と前記ＰＫＣとの接触が、24時間未満、12時間未満、6時間未満、2時間未満、約1時間から約12時間の間、約2時間から約6時間の間、又は約4時間の固定された期間の間維持される、請求項１に記載の方法。
【請求項９】
前記接触が、１日より長い期間、１日から１ヶ月の期間、１日から１週間の期間、１週間から１ヶ月の期間、１ヶ月から６ヶ月の期間、１ヶ月より長い期間、繰り返される、請求項７に記載の方法。
【請求項１０】
細胞又はニューロンの成長を刺激する方法であって、被検体において、有効量のＰＫＣ活性化因子をタンパク質キナーゼＣ（ＰＫＣ）と接触させ、それによって、細胞又はニューロンの成長を刺激する工程を含む方法。
【請求項１１】
前記被検体が、障害性の学習又は記憶を有すると確認されている、請求項１０に記載の方法。
【請求項１２】
前記有効量のＰＫＣ活性化因子とＰＫＣとの接触が、樹状突起の成長を刺激するか、樹状突起棘の形成を刺激するか、又は、樹状突起棘密度を刺激する、請求項１０に記載の方法。
【手続補正書】
【提出日】平成22年6月23日(2010.6.23)
【手続補正１】
【補正対象書類名】特許請求の範囲
【補正対象項目名】全文
【補正方法】変更
【補正の内容】
【特許請求の範囲】
【請求項１】
Ｎ−（（１Ｒ，２Ｓ，５Ｒ）−５−（イソプロピル（メチル）アミノ）−２−（（Ｓ）−２−オキソ−３−（６−（トリフルオロメチル）キナゾリン−４−イルアミノ）ピロリジン−１−イル）シクロヘキシル）アセトアミド化合物、またはその医薬的に許容される塩。
【請求項２】
Ｎ−（（１Ｒ，２Ｓ，５Ｒ）−５−（イソプロピル（メチル）アミノ）−２−（（Ｓ）−２−オキソ−３−（６−（トリフルオロメチル）キナゾリン−４−イルアミノ）ピロリジン−１−イル）シクロヘキシル）アセトアミドが結晶形である請求項１の化合物、またはその医薬的に許容される塩。
【請求項３】
Ｎ−２型を含む、請求項１〜２の結晶形。
【請求項４】
結晶が約＋２２℃の温度であり、下表：
2009544758.tif 000001
に実質的に等しい単位格子パラメータの特徴を有する、請求項１〜３の結晶形。
【請求項５】
約２２℃の温度で、７．２、８．７、９．７、１２．５、１２．８、１３．３、１６．０、１６．６、１８．２、および１８．８から選択される３つ以上の２θ値（ＣｕＫα λ＝１．５４１Å）を含む粉末Ｘ線回折パターンの特徴を有する、請求項１〜４の結晶形。
【請求項６】
約２２℃の温度で、７．２、８．７、９．７、１２．５、１２．８、１３．３、１６．０、１６．６、１８．２、および１８．８からなる群から選択される４つ以上の２θ値（ＣｕＫα λ＝１．５４１Å）を含む粉末Ｘ線回折パターンの特徴をさらに有する、請求項１〜５の結晶形。
【請求項７】
実質的に表７に記載される部分原子座標の特徴を有する、請求項１〜６の結晶形。
【請求項８】
実質的に図２の粉末Ｘ線回折パターンを有する、請求項１〜７の結晶形。
【請求項９】
請求項１〜８の化合物、および医薬的に許容される担体もしくは希釈剤を含む医薬組成物。
【請求項１０】
請求項１〜９の化合物を含む、疾患の治療剤であって、該疾患が、糖尿病、肥満症、メタボリックシンドローム、脳卒中、神経因性疼痛、虚血性心筋症、乾癬、高血圧症、強皮症、骨関節炎、動脈瘤、発熱、循環器疾患、クローン病、うっ血性心不全、自己免疫疾患、ＨＩＶ感染、ＨＩＶ関連痴呆、乾癬、突発性肺線維症、移植動脈硬化症、物理的もしくは化学的に誘発した頭部外傷、炎症性腸疾患、肺胞炎、大腸炎、全身性エリテマトーデス、腎毒性血清腎炎、糸球体腎炎、喘息、多発性硬化症、アテローム性動脈硬化症、血管炎、不安定プラーク、関節リウマチ、再狭窄、静脈新生内膜過形成、透析−移植新生内膜過形成、動静脈シャント内膜過形成、臓器移植、慢性移植腎症、および癌から選択される治療剤。
【請求項１１】
該疾患が、糖尿病、肥満症、クローン病、全身性エリテマトーデス、糸球体腎炎、多発性硬化症、アテローム性動脈硬化症、再狭窄、および臓器移植から選択される、請求項１０の治療剤。
【請求項１２】
該疾患が、多発性硬化症、アテローム性動脈硬化症、クローン病、および糖尿病から選択される、請求項１０〜１１の治療剤。
【請求項１３】
式（ＶＩ）：
【化１】
2009544758.tif 000002
を有する化合物、またはその塩の製造方法であって、式Ｖの化合物を式ＮＨ（Ｒ8）（Ｒ9）のアミンで還元的にアミノ化して、式ＶＩの化合物を得ることを特徴とする方法であって、還元的アミノ化が、
（ａ）  約−２０℃〜約＋５０℃の温度で、該アミンおよび脱水剤を、式Ｖの化合物の非プロトン溶媒溶液に加えて、式Ｖａのイミン／エナミン化合物を形成する段階：
【化２】
2009544758.tif 000003
；並びに
（ｂ）  式Ｖａのイミン／エナミン化合物および白金触媒である５％ Ｐｔ／Ｓ／Ｃの溶液を、水素ガスで処理して、式ＶＩのエステル化合物を得る段階
を含むことを特徴とする方法
［上記の式中、
Ｒ1およびＲ2は独立して、水素、またはＢＯＣ、Ｃｂｚ、もしくはベンジルから選択されるアミン保護基であり；
Ｒ4は、Ｃ1-6アルキルであり；並びに
Ｒ8およびＲ9は独立して、水素またはＣ1-6アルキルである］。
【請求項１４】
式Ｖの化合物が、
【化３】
2009544758.tif 000004
、またはその塩であり；
式Ｖａの化合物が、
【化４】
2009544758.tif 000005
、またはその塩であり、並びに
式ＶＩの化合物が、
【化５】
2009544758.tif 000006
、またはその塩である、請求項１３の方法。
【請求項１５】
（ｉ）
【化６】
2009544758.tif 000007
；または
（ｉｉ）  その（ｉ）の塩
から選択される化合物。
【手続補正書】
【提出日】平成22年6月23日(2010.6.23)
【手続補正１】
【補正対象書類名】特許請求の範囲
【補正対象項目名】全文
【補正方法】変更
【補正の内容】
【特許請求の範囲】
【請求項１】
Ｎ−（（１Ｒ，２Ｓ，５Ｒ）−５−（ｔｅｒｔ−ブチルアミノ）−２−（（Ｓ）−２−オキソ−３−（６−（トリフルオロメチル）キナゾリン−４−イルアミノ）ピロリジン−１−イル）シクロヘキシル）アセトアミドである化合物、またはその医薬的に許容される塩。
【請求項２】
Ｎ−（（１Ｒ，２Ｓ，５Ｒ）−５−（ｔｅｒｔ−ブチルアミノ）−２−（（Ｓ）−２−オキソ−３−（６−（トリフルオロメチル）キナゾリン−４−イルアミノ）ピロリジン−１−イル）シクロヘキシル）アセトアミドが結晶形である請求項１の化合物、またはその医薬的に許容される塩。
【請求項３】
Ｎ−２型を含む、請求項１〜２の結晶形。
【請求項４】
結晶が約＋２２℃（室温）の温度であり、下表：
2009544756.tif 000001
に実質的に等しい単位格子パラメータの特徴を有する、請求項１〜３の結晶形。
【請求項５】
約２２℃の温度で、５．５、９．１、１２．１、１４．０および１９．２から選択される３つ以上の２θ値（ＣｕＫα λ＝１．５４１８Å）を含む粉末Ｘ線回折パターンの特徴を有する、請求項１〜４の結晶形。
【請求項６】
約２２℃の温度で、５．５、９．１、１２．１、１４．０および１９．２から選択される４つ以上の２θ値（ＣｕＫα λ＝１．５４１８Å）を含む粉末Ｘ線回折パターンの特徴をさらに有する、請求項１〜５の結晶形。
【請求項７】
実質的に表３に記載される部分原子座標の特徴を有する、請求項１〜６の結晶形。
【請求項８】
実質的に図２の粉末Ｘ線回折パターンを有する、請求項１〜７の結晶形。
【請求項９】
請求項１〜８の化合物、および医薬的に許容される担体もしくは希釈剤を含む医薬組成物。
【請求項１０】
請求項１〜９の化合物を含む、疾患の治療剤であって、該疾患が、糖尿病、肥満症、メタボリックシンドローム、脳卒中、神経因性疼痛、虚血性心筋症、乾癬、高血圧症、強皮症、骨関節炎、動脈瘤、発熱、循環器疾患、クローン病、うっ血性心不全、自己免疫疾患、ＨＩＶ感染、ＨＩＶ関連痴呆、乾癬、突発性肺線維症、移植動脈硬化症、物理的もしくは化学的に誘発した頭部外傷、炎症性腸疾患、肺胞炎、大腸炎、全身性エリテマトーデス、腎毒性血清腎炎、糸球体腎炎、喘息、多発性硬化症、アテローム性動脈硬化症、血管炎、不安定プラーク、関節リウマチ、再狭窄、静脈新生内膜過形成、透析−移植新生内膜過形成、動静脈シャント内膜過形成、臓器移植、慢性移植腎症、および癌から選択される治療剤。
【請求項１１】
該疾患が、糖尿病、肥満症、クローン病、全身性エリテマトーデス、糸球体腎炎、多発性硬化症、アテローム性動脈硬化症、再狭窄、および臓器移植から選択される、請求項１０の治療剤。
【請求項１２】
該疾患が、多発性硬化症、アテローム性動脈硬化症、クローン病、および糖尿病から選択される、請求項１０〜１１の治療剤。
【請求項１３】
式（Ｘ）：
【化１】
2009544756.tif 000002
Ｘ
を有する化合物の製造方法であって、
約−５〜約５℃の温度で、式Ｖの化合物のエステル部分を加水分解剤で加水分解して、化合物ＶＩの酸を形成し：
【化２】
2009544756.tif 000003
酸触媒の存在下で、式ＶＩａの化合物であるＨＯ−Ｚ−ＯＨを式ＩＶの化合物と反応させて（適宜、インサイチューで）、カルボン酸部分を有する式ＶＩＩの化合物を得て：
【化３】
2009544756.tif 000004
式ＶＩＩのケタールのカルボン酸部分を式ＶＩＩＩ：
【化４】
2009544756.tif 000005
ＶＩＩＩ
の対応のイソシアネートに変換し；
対応の酸無水物である（Ｒ10ＣＯ）2Ｏの存在下で、式ＶＩＩＩのイソシアネートを式Ｒ10ＣＯＷの化合物と反応させて、ケタール部分を有する式ＩＸ：
【化５】
2009544756.tif 000006
ＩＸ
のアミドを形成し；並びに
式ＩＸのアミドのケタール部分を加水分解して、式Ｘの化合物を形成する段階を含むことを特徴とする方法
［上記の式中、
Ｒ1およびＲ2は独立して、水素またはアミン保護基であり；
Ｒ4およびＲ10は独立して、Ｃ1-6アルキルまたは適宜置換されたベンジルであり；
Ｒ8およびＲ9は独立して、水素またはＣ1-6アルキルであり；
Ｗは、ＯＨまたはＯＣ1-6アルキルであり；
Ｚは、−（ＣＴ1Ｔ2）2−、−（ＣＴ1Ｔ2）3−、または
【化６】
2009544756.tif 000007
であり；並びに
Ｔ1、Ｔ2およびＴ3は各々独立して、水素、Ｃ1-4アルキル、Ｃ2-4アルケニル、ハロゲン、ヒドロキシ、シアノ、ニトロ、ＣＦ3、ＯＣ1-4アルキル、ＯＣＦ3、およびＣ（＝Ｏ）Ｃ1-4アルキルから選択される］。
【請求項１４】
該還元的アミノ化段階が、以下：
ａ）  化合物Ｘおよび式ＨＮＲ8Ｒ9を有するアミンの非プロトン溶媒溶液にルイス酸を加えて、式Ｘａ：
【化７】
2009544756.tif 000008
のイミン−エナミンを形成すること；並びに
ｂ）  式Ｘａのイミン−エナミン還元剤で処理して、ピロリドニルアミン部分を有する式Ｘの化合物を得ること
を含むことを特徴とする、請求項１３の方法。
【請求項１５】
（７Ｒ，８Ｓ）−８−（（３Ｓ）−３−（（（ベンジルオキシ）カルボニル）アミノ）−２−オキソ−１−ピロリジニル）−１，４−ジオキサスピロ［４．５］デカン−７−カルボン酸、またはその塩；
（（３Ｓ）−１−（（７Ｒ，８Ｓ）−７−（アジドカルボニル）−１，４−ジオキサスピロ［４．５］デカ−８−イル）−２−オキソ−３−ピロリジニル）カルバミン酸ベンジル、またはその塩；
（（３Ｓ）−１−（（７Ｒ，８Ｓ）−７−イソシアナト−１，４−ジオキサスピロ［４．５］デカ−８−イル）−２−オキソ−３−ピロリジニル）カルバミン酸ベンジル、またはその塩；
（（３Ｓ）−１−（（７Ｒ，８Ｓ）−７−アセトアミド−１，４−ジオキサスピロ［４．５］デカ−８−イル）−２−オキソ−３−ピロリジニル）カルバミン酸ベンジル、またはその塩；
（（３Ｓ）−１−（（１Ｓ，２Ｒ）−２−アセトアミド−４−オキソシクロヘキシル）−２−オキソ−３−ピロリジニル）カルバミン酸ベンジル、またはその塩；並びに
（（３Ｓ）−１−（（１Ｓ，２Ｒ，４Ｒ）−２−アセトアミド−４−（ｔｅｒｔ−ブチルアミノ）シクロヘキシル）−２−オキソ−３−ピロリジニル）カルバミン酸ベンジル、またはその塩
から選択される化合物。
【手続補正書】
【提出日】平成22年7月23日(2010.7.23)
【手続補正１】
【補正対象書類名】明細書
【補正対象項目名】００１０
【補正方法】変更
【補正の内容】
【００１０】
概して、アルキル又はアルコキシ基は、好ましくは、Ｃ1〜4アルキル基又はＣ1〜4アルコキシ基；Ｃ1〜4アルキル、−ＣＯＯＨ、−ＯＨによりさらに置換されていてもよいＣ1〜4アルキル基又はＣ1〜4アルコキシを意味する。好ましいアルキル基は、メチル又はエチルである。アルキル基又はアルコキシ基の好ましい置換基は、ＯＨである。Ｒ8、Ｒ8'、Ｒ9、Ｒ9'がアルキル基で置換されている場合には、好ましい置換基は−ＯＨである。好ましいアルコキシ基は、メトキシ又はエトキシである。上記アルキル基及びアルコキシ基は、分岐鎖又は直鎖である。
【手続補正２】
【補正対象書類名】特許請求の範囲
【補正対象項目名】全文
【補正方法】変更
【補正の内容】
【特許請求の範囲】
【請求項１】
次の式（Ｉ）：
【化１】
2009544788.tif 000001
の化合物であって、
Ｒ0は、置換されたＣ1〜Ｃ4アルキル基又は置換されていないＣ1〜Ｃ4アルキル基を表し、
Ｒ1は、Ｈ、Ｎ（Ｒ7'Ｒ7''）、置換されたＣ1〜Ｃ4アルキル基又は置換されていないＣ1〜Ｃ4アルキル基又はＣＮを表し、
Ｒ2又はＲ2'は、Ｈ、置換されたＣ1〜Ｃ4アルキル基若しくは置換されていないＣ1〜Ｃ4アルキル基、又は次の式：
−［（ＣＲ8Ｒ8'）−（ＣＲ9Ｒ9'）m−（ＣＲ10Ｒ10'）n−（ＣＲ11Ｒ11'）0］−ＮＲ12Ｒ12'
（式中、ｍ、ｎ及びｏは、１又は０の意味を有し、そしてＲ8、Ｒ8'、Ｒ9、Ｒ9'、Ｒ10、Ｒ10'，Ｒ11又はＲ11'は、独立して、Ｈ、置換されたＣ1〜Ｃ4アルキル基又は置換されていないＣ1〜Ｃ4アルキル基を表し；そしてＲ12又はＲ12'は、独立して、Ｈ、置換されたＣ1〜Ｃ4アルキル基又は置換されていないＣ1〜Ｃ4アルキル基を表す）
を有する基を表し、
Ｒ3は、Ｈ、置換されたＣ1〜Ｃ4アルキル基又は置換されていないＣ1〜Ｃ4アルキル基、置換されたＣ1〜Ｃ4アルコキシ基又は置換されていないＣ1〜Ｃ4アルコキシ基を表し、
Ｒ4は、Ｈ、置換されたＣ1〜Ｃ4アルキル基又は置換されていないＣ1〜Ｃ4アルキル基、置換されたＣ1〜Ｃ4アルコキシ基又は置換されていないＣ1〜Ｃ4アルコキシ基を表し、
Ｒ5は、Ｈ、置換されたＣ1〜Ｃ9アルキル基又は置換されていないＣ1〜Ｃ9アルキル基を表し、
Ｒ6は、置換されたＣ1〜Ｃ9アルキル基又は置換されていないＣ1〜Ｃ9アルキル基、置換されていないアリール基又は置換されたアリール基を表し、
Ｒ7'又はＲ7''は、独立して、置換されたＣ1〜Ｃ4アルキル基又は置換されていないＣ1〜Ｃ4アルキル基を表すか、又はＲ7'及びＲ7''が窒素原子と一緒になって、５若しくは６員芳香環又は５若しくは６員脂環式環（当該５若しくは６員環は、Ｃ1〜Ｃ4アルキル基により置換されているか、又は当該５若しくは６員環は、さらに置換されていない）を形成する、
ことを特徴とする化合物。
【請求項２】
Ｒ0が、置換されたＣ1〜Ｃ4アルキル基又は置換されていないＣ1〜Ｃ4アルキル基を表し、
Ｒ1が、Ｎ（Ｒ7'Ｒ7''）、置換されたＣ1〜Ｃ4アルキル基又は置換されていないＣ1〜Ｃ4アルキル基を表し、
Ｒ2又はＲ2'が、次の式：
−［（ＣＲ8Ｒ8'）−（ＣＲ9Ｒ9'）m−（ＣＲ10Ｒ10'）n−（ＣＲ11Ｒ11'）O］−ＮＲ12Ｒ12'
（式中、ｍ、ｎ及びｏは、１又は０の意味を有し、そしてＲ8、Ｒ8'、Ｒ9、Ｒ9'、Ｒ10、Ｒ10'、Ｒ11又はＲ11'は、独立して、Ｈ、置換されたＣ1〜Ｃ4アルキル基又は置換されていないＣ1〜Ｃ4アルキル基を表し；そしてＲ12又はＲ12'は、独立して、Ｈ、置換されたＣ1〜Ｃ4アルキル基又は置換されていないＣ1〜Ｃ4アルキル基を表す）
を有する基を表し、
Ｒ3が、Ｈ、置換されたＣ1〜Ｃ4アルキル基又は置換されていないＣ1〜Ｃ4アルキル基、置換されたＣ1〜Ｃ4アルコキシ基又は置換されていないＣ1〜Ｃ4アルコキシ基を表し、
Ｒ4が、Ｈ、Ｃ1〜Ｃ4アルキル基、Ｃ1〜Ｃ4アルコキシ基を表し、
Ｒ5が、Ｈ、置換されたＣ1〜Ｃ9アルキル基又は置換されていないＣ1〜Ｃ9アルキル基を表し、
Ｒ6が、置換されたＣ1〜Ｃ9アルキル基又は置換されていないＣ1〜Ｃ9アルキル基、置換されていないアリール基又は置換されたアリール基を表し、
Ｒ7'及びＲ7''が、窒素原子と一緒になって、５又は６員芳香環（当該５若しくは６員環は、Ｃ1〜Ｃ4アルキル基により置換されているか、又は当該５若しくは６員環は、さらに置換されていない）を形成する、
ことを特徴とする、請求項１に記載の化合物。
【請求項３】
Ｒ5及びＲ6を合わせた炭素原子の合計が、少なくとも４個の炭素原子であることを特徴とする、請求項１又は２に記載の化合物。
【請求項４】
Ｒ1が、下記：
【化２】
2009544788.tif 000002
（式中、
＊は、当該分子の、残部への結合点を示し、そして
Ｒ13は、Ｈ、置換されたＣ1〜Ｃ4アルキル基又は置換されていないＣ1〜Ｃ4アルキル基、置換されたＣ1〜Ｃ4アルコキシ基又は置換されていないＣ1〜Ｃ4アルコキシ基を表す）
を表すことを特徴とする、請求項１〜３のいずれか一項に記載の化合物。
【請求項５】
Ｒ2又はＲ2'が、次の式：
−［（ＣＲ8Ｒ8'）−（ＣＲ9Ｒ9'）−（ＣＲ10Ｒ10'）］−ＮＲ12Ｒ12'
（式中、
Ｒ8、Ｒ8'、Ｒ9、Ｒ9'、Ｒ10又はＲ10'は、独立して、Ｈ、置換されたＣ1〜Ｃ4アルキル基又は置換されていないＣ1〜Ｃ4アルキル基を表し；そして
Ｒ12又はＲ12'は、独立して、Ｈ、置換されたＣ1〜Ｃ4アルキル基又は置換されていないＣ1〜Ｃ4アルキル基を表す）
を有する基を表すことを特徴とする、請求項１〜４のいずれか一項に記載の化合物。
【請求項６】
請求項１〜５のいずれか一項に記載の化合物の製造方法であって、
次の式：
【化３】
2009544788.tif 000003
を有する式（ＩＩ）のジアミンのビス−ジアゾニウム塩を、１当量の次の式（ＩＩＩ）の化合物及び１当量の次の式（ＩＩＩ'）の化合物：
【化４】
2009544788.tif 000004
（式中、Ｒ0，Ｒ1，Ｒ2，Ｒ2'，Ｒ3，Ｒ4，Ｒ5及びＲ6は、上記規定の通りである）
と反応させることを特徴とする方法。
【請求項７】
カチオン染色可能な材料を染色若しくは印刷するための液体染色調製物を調製するため、又はインクジェット用インクを調製するための、請求項１〜５のいずれか一項に記載の式（Ｉ）の化合物又はその混合物の使用。
【請求項８】
請求項１〜５のいずれか一項に記載の式（Ｉ）の化合物又はその混合物を含む液体染色調製物又はインクジェット用インク。
【請求項９】
請求項１〜５のいずれか一項に記載の式（Ｉ）の化合物又はその混合物を用いて染色又は印刷されたカチオン染色可能な材料。